(57)【要約】【課題】簡単に袋体部に取り付けできる吊り下げ具であって、吊り下げ具と袋体への吊り下げのための把手部の取り付けと開口部の封口を同時に達成できる吊り下げ具及び該吊り下げ具を取り付けた自動包装に適した手提げ付き袋を提供する。【解決手段】一枚の厚紙若しくはプラスチックシートを打ち抜くことにより形成された吊り下げ具であって、縦長状の中央分離帯１の両側に、一対のテープ状接合面２ａ、２ｂの内側を連結してなり、該一対のテープ状接合面２ａ、２ｂのそれぞれの外側に指穴５ａ、５ｂを有する一対の把手部３ａ、３ｂを折り目線４ａ、４ｂを介して連結してなり、一対のテープ状接合面２ａ、２ｂのそれぞれの裏面には接着剤層７が設けられてなり、中央分離帯１には切断用ミシン目６を設けてなる手提げ付き袋用吊り下げ具、及びこの吊り下げ具をつけた手提げ付き袋である。【選択図】図７
2008143560.tif 000002
【特許請求の範囲】
【請求項１】
一枚の厚紙若しくはプラスチックシートを打ち抜くことにより形成された吊り下げ具であって、縦長状の中央分離帯１の両側に、一対のテープ状接合面２ａ、２ｂの内側を連結してなり、該一対のテープ状接合面２ａ、２ｂのそれぞれの外側に指穴５ａ、５ｂを有する一対の把手部３ａ、３ｂを折り目線４ａ、４ｂを介して連結してなり、一対のテープ状接合面２ａ、２ｂのそれぞれの裏面には接着剤層７が設けられてなり、中央分離帯１には切断用ミシン目６を設けてなる手提げ付き袋用吊り下げ具。
【請求項２】
切断用ミシン目６が二本のミシン目からなるジッパータイプである請求項１記載の手提げ付き袋用吊り下げ具。
【請求項３】
指穴５ａ、５ｂの縁と折り目線４ａ、４ｂが一直線上に重なる請求項１又は請求項２記載の手提げ付き袋用吊り下げ具。
【請求項４】
接着剤層７が粘着剤層であって、該粘着剤を覆う剥離紙８が設けられている請求項１、請求項２又は請求項３記載の手提げ付き袋用吊り下げ具。
【請求項５】
請求項１、請求項２、請求項３又は請求項４記載のいずれかの吊り下げ具の接合面の一つを袋の開口縁に接着剤層を介して接着してなる手提げ付き袋。
【請求項６】
請求項５記載の手提げ付き袋に商品を収納したのちに他方の接合面を袋の他方の開口縁に接着剤層を介して接着してなる手提げ付き商品包装体。
【請求項７】
袋が紙袋である請求項５又は請求項６記載の手提げ付き袋。
【請求項８】
請求項５記載の手提げ付き袋を開口部を開口した状態でコンベア方式で送り出しながら、該袋の開口部に商品を機械的に投入して、接着されていない接合面を機械的に折り返して他方の袋体の開口縁に接着剤層を介して接着する手提げ付き商品包装体の連続的製造方法。
【発明の詳細な説明】
【技術分野】
【０００１】
本発明は、紙製又はプラスチックフィルム製手提げ付き袋の開口部に接着して用いる封口機能付き吊り下げ具及び該吊り下げ具を用いた手提げ付き袋並びに手提げ付き商品包装体及び該包装体の連続製造方法に関する。
【背景技術】
【０００２】
手提げ付き袋は品物を入れて吊り下げて持ち運びするために用いるものであり、特に買い物袋などに広く使用されている。
手提げ付き袋の吊り下げ具を袋に取り付ける態様として、種々の形の吊り下げ具材と袋体への種々の取り付け方が知られている。
吊り下げ具が紐状のものを使用する場合は、袋上部の側面に紐を通す穴を設け、通し穴に挿通後、紐に結び目を作る方法が知られている。また、プラスチックフィルム製袋の場合は、吊り下げ具は袋体フィルムから一体的にプラスチックフィルム製把手部が延設されて形成されている。
また、吊り下げ具が紙製のものを使用する場合は、袋の開口縁に紙製の吊り下げ具の端部を直接、接着剤で貼り付けたものが知られている。
例えば、ファーストフード店等で使用されている手提げ付きレジ袋は、図９及び図１０の斜視図で示されるものが用いられている。
この袋は、紙製の袋の開口部の縁より少し下方の位置に接着剤によって、紙製の把手部の先端を接着固定している。そして、品物を収納後に、開口縁の上縁を畳み込んで、袋体の開口部を封口している。
この品物を収納した手提げ付き包装体は、封口機能が袋体上部の開口縁を不規則に畳みこむだけであるので、封口が完全でなく体裁が悪い。また、接着部分の面積が狭いので、粘着剤で接着固定した場合には、袋体を長時間吊り下げる場合に吊り下げ具が抜ける恐れがある。また、図９の手提げ付き袋及び手提げ付き包装体を連続機械的に製造できない欠点を有している。
また、連続機械的製造方法を適用できる手提げ付き袋の開口部を封口する場合には、吊り下げ機能とは、別に封口機能を設けている。例えば、買い物袋では、粘着テープで、両側の袋体開口縁を接着したり、袋体の一方の開口縁から延設された蓋部フィルムで開口部を覆う方法が知られている。
そして、従来技術には袋に手提げ具を取り付けるものが知られている（特許文献１）。本文献による発明では、一対の手提げ部が分離しているため、対称に貼り合わせることが困難である。
【特許文献１】特開２００３−１５５０４１号公報
【発明の開示】
【発明が解決しようとする課題】
【０００３】
本発明は、簡単に袋体部に取り付けできる吊り下げ具であって、吊り下げ具と袋体への吊り下げのための把手部の取り付けと開口部の封口を同時に達成できる吊り下げ具及び該吊り下げ具を取り付けた自動包装に適した手提げ付き袋を提供することを目的とするものである。
【課題を解決するための手段】
【０００４】
本発明者は、袋を吊り下げる機能と袋開口部の封口機能を同時に有する吊り下げ具を、一枚の厚紙に一体的に形成することによって、袋体部の開口縁に吊り下げ具を取り付けるとともに、袋の開口部を封口できる丈夫な吊り下げ具を提供できるという予想外の結果を見出し、この知見に基づき、本願発明を完成するに至った。
すなわち、本発明は、
（１）一枚の厚紙若しくはプラスチックシートを打ち抜くことにより形成された吊り下げ具であって、縦長状の中央分離帯１の両側に、一対のテープ状接合面２ａ、２ｂの内側を連結してなり、該一対のテープ状接合面２ａ、２ｂのそれぞれの外側に指穴５ａ、５ｂを有する一対の把手部３ａ、３ｂを折り目線４ａ、４ｂを介して連結してなり、一対のテープ状接合面２ａ、２ｂのそれぞれの裏面には接着剤層７が設けられてなり、中央分離帯１には切断用ミシン目６を設けてなる手提げ付き袋用吊り下げ具、
（２）切断用ミシン目６が二本のミシン目からなるジッパータイプである(１)項記載の手提げ付き袋用吊り下げ具、
（３）指穴５ａ、５ｂの縁と折り目線４ａ、４ｂが一直線上に重なる(１)又は(２)項記載の手提げ付き袋用吊り下げ具、
（４）接着剤層７が粘着剤層であって、該粘着剤を覆う剥離紙８が設けられている(１)、(２)又は(３)項記載の手提げ付き袋用吊り下げ具、
（５）(１)、(２)、(３)又は(４)項記載のいずれかの吊り下げ具の接合面の一つを袋の開口縁に接着剤層を介して接着してなる手提げ付き袋、
（６）(５)項記載の手提げ付き袋に商品を収納したのちに他方の接合面を袋の他方の開口縁に接着剤層を介して接着してなる手提げ付き商品包装体、
（７）袋が紙袋である(５)又は(６)項記載の手提げ付き袋、及び、
（８）(５)項記載の手提げ付き袋を開口部を開口した状態でコンベア方式で送り出しながら、該袋の開口部に商品を機械的に投入して、接着されていない接合面を機械的に折り返して他方の袋体の開口縁に接着剤層を介して接着する手提げ付き商品包装体の連続的製造方法、
を提供するものである。
【発明の効果】
【０００５】
本発明によれば、吊り下げ具が、一枚の厚紙若しくはプラスチックシートを打ち抜くだけで簡単に製造でき、これを吊り下げ具の一方のテープ状接合面の接着剤層を介して袋体の開口縁に取り付けるだけで簡単に封口機能を有する手提げ付き袋を製造することができる。
本発明手提げ付き袋に品物を収納後に、接着していない他方のテープ状接着面を他方の開口縁に取り付けることによって、吊り下げ具の中央分離帯によって、手提げ付き袋の開口部を封口することができ、この封口によって、収納した品物が他人から見られることを防止でき、さらに雨等により中の品物が濡れることを防止することができる。
その上に、品物を収納した手提げ付き袋をそのまま手提げ付き商品包装体とすることができるなどの利点が得られる。そして、中央分離帯のミシン目を破って品物を取り出すことができ、品物を取り出した後は、普通の手提げ付き袋として再使用することができる。
また、本発明吊り下げ具は、吊り下げ時に、把手部が折り目線によってテープ状接合面に対して１８０度まで垂直方向に折り曲げることができるので、接着剤が粘着剤層の場合でも、接着面が剥がれることがなく、接着剤、特に粘着剤による袋体と吊り下げ具との貼着強度を大きくすることができる利点がある。
そして、本発明吊り下げ具を用いた手提げ付き袋及び商品包装体を連続機械的製造方法によって効率的に製造できる利点がある。特に、商品包装体の連続製造の利点としては、本発明においては、手提げ付き包装体の自動包装の分野にも有益な発明となることを示している。
本発明吊り下げ具によれば、手提げの付いていない袋を手提げ付き袋に簡単に変更できる利点がある。これは手提げなしの袋を手作業で手提げ付き袋に簡単に改造できるものである。そして、店舗等のレジで、図６の形状の手提げ付き袋に商品を直接入れて、他方の接合面の剥離紙を剥がして他方の開口部に接着固定すると、レジの手作業で手提げ付き商品包装体が形成される。
本発明手提げ付き商品包装体は、商品包装袋の上部の把手部を反転させて、一対の把手部を重ね合わせて、迅速に手提げ付き包装体に変更して把手部の指穴を吊り下げて持ち帰ることができる。
この手提げ付き包装体の吊げ下げ具は、袋体の側面にコンパクトに密着しているので（図７）、商品の運送、陳列に容積を取らない利点がある。
【発明を実施するための最良の形態】
【０００６】
本発明の一実施形態を以下に図面によって説明する。
本発明吊り下げ具に用いる接着剤は、公知の接着剤を特に制限なく使用することができる。例えば、粘着剤のような感圧接着剤、ホットメルトのような感熱接着剤、反応性接着剤等を使用することができるが、連続製造工程等における塗布工程が容易である点から粘着剤が最も好ましい。
図１は、本発明吊り下げ具の接着剤層７として、粘着剤層７を使用した一態様である。
図面及び図面の説明では、接着剤層７として粘着剤層７を使用した事例によって、説明するが、一般の接着剤の場合は、その接着剤の特性に応じて適宜修正して、粘着剤層に準じて使用することができる。
図１の本発明吊り下げ具は一枚の厚紙を打ち抜くことにより形成された吊り下げ具であって、縦長状の中央分離帯１の両側外縁ｐに、一対のテープ状接合面２ａ、２ｂの内側を連結している。該一対のテープ状接合面２ａ、２ｂのそれぞれの外側に指穴５ａ、５ｂを有する一対の把手部３ａ、３ｂがあり、この把手部３ａ、３ｂは折り目線４ａ、４ｂを介してテープ状接合面にの外側に連結している。一対のテープ状接合面２ａ、２ｂのそれぞれの裏面には、図１の断面図に示すように、粘着剤層７が設けられていて、該粘着剤を覆う剥離紙８が貼着されている。中央分離帯１には切断用ミシン目６が設けられている。
図１の把手部は、厚紙製であり、腰がある紙シートであれば、どのような紙シートでも使用することができる。紙シートの腰がないと、把手部で吊り下げたときに、把手部の形状が不安定で吊り下げにくくなり、吊り下げたときの袋体の形状も不安定となる。
また、本発明吊り下げ具の材質としては、紙の代わりに、プラスチックシートを用いることができる。
吊り下げ具及び袋の材質を紙とした場合等、袋との材質と合わせることにより、簡単に分別されたゴミとして捨てることができる。
本発明吊り下げ具のシートの厚さは、特に限定されるものではなく把手部に用いたときの形状を安定させる腰の強さが得られる厚さを適宜選定することができる。通常、０.３〜３ｍｍ程度の厚さを用いることができる。
本発明中央分離帯１は、縦長状の長方形状であって、中央部に指で破ることができる切断用ミシン目６を有するものであって、吊り下げ具を袋体の開口部に取り付けた場合に、品物を収納した袋の開口部を封口する蓋の役目を果すものである。切断用ミシン目６を破って品物を取り出すことができる。本発明吊り下げ具の中央分離帯１の長さ及び巾は、特に限定されるものではなく、取り付ける袋の大きさにより、適宜サイズ調整することができる。開口部を袋体の端から端まで封口したい場合は、中央分離帯１の長さは、袋体の開口部の長さと一致させることができ、開口部を残しておきたい場合は中央分離帯１の長さは、袋体の開口部の長さより短くすることができる。また、中央分離帯１の巾は、袋体の厚さが大きい場合には、適宜その厚さに合わせて広くすることができる。
【０００７】
本発明ミシン目として、図１の一本のミシン目を設けることができるほかに、図２のように、二本のミシン目を設けることもできる。二本のミシン目を設けた場合には、中央折り目線９を設けることが好ましい。中央分離帯１が中央折り目線９で円滑に折り曲げることができ、図７の包装体を容易に形成することができる。二本のミシン目としては、いわゆるジッパーと称する態様の二本のミシン目であり、中央分離帯１の二本のミシン目の間のシートを指で簡単に除去できるので、１本のミシン目の態様よりも望ましい。すなわち、二本のミシン目の場合は、本発明吊り下げ具に丈夫なミシン目を採用できるので望ましい。
一般に、ミシン目は、ミシン目の切り目長さとピッチ間隔の比率を変更することによって、ミシン目を破るに要する力を任意に大きくすることができる。本発明吊り下げ具の場合は、封口機能の観点からは、丈夫なミシン目が望ましいことが多い。
本発明吊り下げ具の一対のテープ状接合面２ａ、２ｂは、中央分離帯１の外側に連続しているテープ状の形状の長方形状型のシート面であり、裏面には、図１の断面図に示すように、ほぼ全面に粘着剤層７が設けられ、その上に剥離紙８が貼着されている。
テープ状接合面の長さは、連続する中央分離帯１の長さと一致させるのが望ましいが、長さに差異をつけることもできる。テープ状接合面の巾は、品物を収納した袋体の重さに耐える接着固定力を有する粘着剤層面積を確保する巾以上であれば、外観形状の意匠的好みによって適宜選択することができる。
【０００８】
剥離紙８に粘着剤層を塗布された粘着剤テープを、テープ状接合面に貼着して粘着剤層を接合面に転写する方法によって、図１の吊り下げ具のテープ状接合面の粘着剤層７が設けられている。該粘着剤層７によって、テープ状接合面２ａ、２ｂは袋体の開口縁に平行に貼着して、吊り下げ具を固定することができる。
本発明吊り下げ具の把手部３ａ、３ｂは、テープ状接合面２ａ、２ｂの外側に、折り目線４a、４ｂを介してテープ状接合面２ａ、２ｂの外側に連続している。
本発明把手部３ａ、３ｂには、それぞれに、指穴５ａ、５ｂを有し、吊り下げ具を袋に取り付けたときに、指穴５ａ、５ｂに指を入れて袋体を吊り下げることができる。
本発明吊り下げ具のテープ状接合面２ａ、２ｂと把手部３ａ、３ｂの境界線上の折り目線４a、４ｂは、テープ状接合面に対して、把手部３ａ、３ｂの面を、１８０度の角度で折り曲げることを可能にするものであり、この折り曲げによって、下方に向いているテープ状接合面の方向を折り目線上で、簡単かつ正確に上方垂直方向に反転させることができる。
本発明の折り目線４は、紙またはプラスチックシートに、圧縮又は熱などを付加した加工によって、例えば、溝、ミシン目又はリブを付けて、一方向に１８０度まで反転可能な直線状の折り癖をつけるものであり、公知の折り癖加工方法は、特に制限なく採用することができる。
本発明の折り目線４は、折り癖加工直後は、平面形状を安定的に維持していて、一度強制的に折り曲げることによって折り癖がついて、その後は、１８０度まで反転自在になるものが手提げ付き袋の連続製造の観点からは望ましい。
本発明吊り下げ具は、紙又はプラスチックシートであるので、簡単に公知の方法によって、折り癖を設けられるが、布シートに折り癖をつけることは困難である。
【０００９】
本発明折り目線４は、把手部を１８０度反転させて形成できるので、図４に示すように把手部３を上方矢印方向に引っ張る力は、粘着剤層７の面に平行に懸かる。その結果、把手部の吊り下げ力は、粘着剤層のズレに対する接着抵抗力で受け止める。
ところが、折り目線４がなく、把手部を反転させたときに、図５のように、把手部と接合面の境界がわん曲した場合には、把手部の吊り下げ力は、接着剤層の端縁に上方に引き剥がす方向の力が懸かる。図５の状態では、手提げ付き袋を吊り下げたときに、粘着剤層による袋体の開口縁と把手部の接着固定は簡単に剥離する。
本発明吊り下げ具は、袋体の吊り下げ時にテープ状接合面と把手部が反転する点に形状及び構造上の特有の特徴がある。この特徴は、手提げ付き袋の製造工程の簡略化及び連続化に貢献するものであるが、さらに把手部と袋体開口縁の接着固定を、工程の簡便性の上から接着剤層として、粘着剤層による接着固定を採用する場合に、把手部の反転構造は図４及び図５で説明したような剥離し易い欠点を発生させる。本発明は、この欠点を１８０度反転できる折り目線によって解決したものである。
このような正確な把手部の面の１８０度の方向転換によって、把手部に懸かる袋体の重力の方向は、接合面の粘着剤層面にほぼ平行になるので、該重力が粘着剤層を折り目線の位置から上方に剥がす方向にかからない利点がある。折り目線による正確な把手部の面の１８０度の方向転換がないと、折り目部が図５のようにわん曲するので、袋体の把手部にかかる重力は、粘着剤層を折り曲げ部分から剥がす方向にかかる。本発明吊り下げ具においては、折り目線は単に反転折り曲げ部がある封口機構付き吊り下げ具の製造容易性のための形状構造上の作用効果の利点のみでなく、吊り下げ具の袋体への粘着剤による接着固定強度の向上のためにも重要な作用効果を果す構成となる。
本発明把手部の指穴５ａ、５ｂは、図１のように、指穴の下縁が折り目線の上方に離れている態様と、図２のように、指穴の下縁が折り目線上に一致している態様がある。
前者の態様は、折り目線の長さが長くなり、把手部と袋体の連結が安定する。後者の態様は、折り曲げ操作が容易になる利点がある。把手部の外観も考慮して、どちらの態様も選択できる。
さらに、図３のように、折り目線４a、４ｂを、接合面のテープ状形状の内部に平行に設けることも可能である。折り目線の外側の把手部の形状は、図１又は図２の把手部の側縁に細長いテープ状部分が加算された形状となる。
【００１０】
本発明吊り下げ具の指穴は、打ち抜きであける以外に、図３の下部の指穴のように、指穴の接合面側縁と横側縁に切り目を入れて、指穴の把手部側に折り目線ｑを設けた切片ｍを形成することもできる。この指穴の態様は、本発明吊り下げ具を袋に取り付けて、一対の把手部を重ね合わせたときに、指穴の切片ｍを内側に曲げて、対向する把手部の裏側にまで重ねて、一対の把手部を一体的にまとめてわし掴みして吊り下げることができ、このとき把手部のエッジの指に対する当りを弱くして指の痛みを和らげて手提げ袋を提げ易くすることができる。この切片ｍの面中間に水平に第２の折り目線を付けることもできる。このような把手部連結用の指穴の切片ｍは、両方の指穴に設けることができる。
また、指穴の切片は、図３の上部の指穴のように短い長さの切片にすることができる。この切片ｎは、指穴の寸法の長さ一杯でなく、内側に曲げたときに、対向する把手部に届く長さまで、短くすることができる。切片ｎの形状の切片付き指穴は、本発明吊り下げ具の一体的打ち抜きで形成することができる。
図３の下部の切片ｍ又は上部の切片ｎに粘着剤層および該粘着剤層を覆う剥離紙を設けて、対向する把手を固定することもできる。該切片ｍに第２の折り目線を設け、対向する把手部に巻きつけた後、粘着剤により切片ｍの先端を対向する把手の裏面に貼り付けることができる。このとき、一対の切片ｍの面が底面を形成し、吊り下げ状態を安定させる効果がある。対向する把手部が離れないようにすることで、掴み易くするためである。
さらに、本発明吊り下げ具の把手部の指穴部分の下部の内角部分及びその外側の接合面と交差する角部分には、図２の符号ｒのような角を丸くする傾斜をつけるのが接合面の接着性を向上し、把手部の下部の強度を増加させる点で好ましい。この傾斜は直線的傾斜でも同様の効果がある。
本発明吊り下げ具を取り付けた袋の一態様を図６に示す。図６の袋は、本発明吊り下げ具を取り付ける上で、外観形状的に好ましい形態のサイドガゼット折りの角底型袋体１０であるが、本発明の手提げ付き袋の袋体部としては、開口部がある袋体であればどのような形状の袋であっても採用することができる。
また、袋体の材質は、紙であっても、プラスチックフィルムであっても使用することができる。さらに、例えば、布のように、粘着剤で本発明吊り下げ具を接着固定できるものであればどのような材質の袋にでも採用できる。
また、該袋体の形状についても特に限定されることはなく、封筒状の平袋、ガゼット折りされた角底袋等のものに使用することができる。
【００１１】
図６の手提げ付き袋は、図２の本発明吊り下げ具の片方の接合面の裏面の剥離紙を剥がして露出した粘着剤層によって、片方の接合面を袋体の片方の開口縁に接着固定したものである。この図６では、接着固定した把手部の面は、袋体の手前側面に沿った形となり、袋体の開口部は開放されたままの状態である。そして、中央分離帯１の長さを袋体の開口部の長さと一致させた一例である。
この図６の袋に品物を収納してから、吊り下げ具の他方の接合面の裏面の剥離紙を剥がして露出した粘着剤層によって、袋体の他方の開口縁に他方の接合面を接着固定すると、袋体の開口部を中央分離帯１で封口した図７の手提げ付き商品包装体の形状となる。図７の形状の一対の手提げ付き袋の把手部を折り目線の位置で折り曲げて約１８０度反転させると、図８の手提げ付き商品包装体となり、把手部の指穴に指を通して、手提げ付き商品包装体を吊り下げることができる。
本発明の図６の構造の手提げ付き袋は、紙製又はプラスチックフィルム製袋体の場合は、連続的機械的製造方法によって製造することができる。
すなわち、図６の角底型袋体１０は、紙製の場合は、公知のサイドガゼット方式の紙製袋体の製造方法によって、連続的に製造することができる。また、プラスチックフィルム製袋の場合は、チューブ状プラスチックフィルムを原料とする公知のサイドガゼットボトムシール方式の連続製造方法又は長尺のフィルムを半折重合して、半折折り目に底部ガゼットを連続的に形成して、袋体側縁を溶断シールする公知の連続製造方法に適用して製造することができる。角底型でない袋体部を連続的に製造できることは言うまでもない。
一方、本発明吊り下げ具は、腰のある紙シート又はプラスチックシートを打ち抜き、粘着剤が塗布された剥離紙テープを連続的に一対の接合面の裏面に貼着することによって連続的機械的に製造することができる。
【００１２】
そして、袋体部の開口縁と吊り下げ具の片方の接合面の接着固定は、両者を連続的に接着工程に供給して、吊り下げ具の剥離紙を剥がしながら、機械的連続的に接着固定して図６のような形状の手提げ付き袋を連続的に製造することができる。
袋体部の開口縁と吊り下げ具の片方の接合面の接着固定において、剥離紙付き粘着剤層を設けた吊り下げ具を用いないで、袋体部の開口縁と吊り下げ具の片方の接合面の接着固定の工程において、接着剤を吊り下げ具又は袋体開口縁に塗布しながら両者を接着する工程を採用することができる。
さらに、図６の袋の接合面の片方のみが接着固定された接合面を裏側下面にして公知の自動包装機の開口工程部に連続的にベルト方式で供給して吊り下げ具が固定されていない方の開口縁を機械的に上方に大きく開口して、これに続く商品収納工程において、開口した状態の袋体部に商品を機械的に落としこみ、次に、折り返し工程において、他方の接合面を上方に折り返して、他方の接合面の剥離紙を剥がして、他方の開口縁に他方の接合面を連続的に接着固定する方法によって、図７の商品包装体を連続機械的に製造することによって、商品を自動包装することが可能である。
このように、本願発明吊り下げ具は、吊り下げ具及び該吊り下げ具を取り付けた手提げ付き袋並びに該吊り下げ具を取り付けた商品包装体を連続機械的に効率的に製造できる利点がある。
本発明の指穴５ａ、５ｂは手提げ付き袋を持つために必要な大きさが確保されていれば良く、特に限定されるものではない。
本発明のテープ状接合面２ａ、２ｂの縦の長さは、把手部３ａ、３ｂの両端の外縁の幅よりも長く形成されている。これによって、テープ状接合面２ａ、２ｂと袋の開口縁を粘着剤層を介して接着する接着面積を多くして吊り下げ具と袋体開口縁との接着の強度を上げることができる。
該一対のテープ状接合面２ａ、２ｂのそれぞれの裏面には粘着剤層７と該粘着剤を覆う剥離紙８が設けられている。ここに使用する粘着剤は、特に限定されるものではなく、例えば、ゴム系粘着剤、アクリル系粘着剤などを挙げることができる。また、溶液型粘着剤及びエマルション型粘着剤も使用することができる。
該中央分離帯１には切断用ミシン目６が設けてある。これは、テープ状接合面２ａ、２ｂを袋の開口縁に粘着剤層を介して接着して袋を閉じた後、簡単に開封することができるようにしたものである。そして、切断用ミシン目６を用いて切り離した場合には、きれいに開封ができ、その後手提げ付き袋として使用することができることとなる。
該吊り下げ具は、縦長状の中央分離帯１を境にして、対称の作りとなっている。これは、一対のテープ状接合面２ａ、２ｂを袋に貼り合わせた後、把手部３ａ、３ｂが揃うこととなり、見栄えも良く使い易いという利点がある。例えば、中央分離帯１から切り離された二つのものとなっている場合には、把手部３ａ、３ｂがきれいに揃えることが困難である。
【産業上の利用可能性】
【００１３】
本発明吊り下げ具によれば、手提げの付いていない袋の開口部に取り付けることによって、単なる袋を手提げ付き袋に改造できる。また、この吊り下げ具は、消費者又は販売店員が手作業で容易に取り付けることができる。そして、吊り下げ具の連続製造工程及び袋体の連続製造工程と、吊り下げ具と袋体の連続取り付け工程を組み合わせて手提げ付き袋体の製造工場で原材料から手提げ付き袋までを連続機械的に製造することができる。
さらに、手提げ付き袋体（図６）に機械的に商品を投入して、封口することによって、商品製造工場の包装工程で手提げ付き商品包装体を連続工程によって製造することができる。この手提げ付き包装体の手提げ具は、袋体の側面にコンパクトに密着しているので（図７）、商品の運送、陳列に容積を取らない利点がある。
【図面の簡単な説明】
【００１４】
【図１】本発明吊り下げ具の一態様の平面図及び断面図である。
【図２】本発明吊り下げ具の他の態様の平面図である。
【図３】本発明吊り下げ具の他の態様の平面図である。
【図４】本発明吊り下げ具の折り曲げ時の断面図である。
【図５】折り目線のない吊り下げ具の折り曲げ時の断面図である。
【図６】本発明吊り下げ具を取り付けた手提げ付き袋の斜視図である。
【図７】本発明吊り下げ具を取り付けた手提げ付き袋に商品を収納した商品包装体の斜視図である。
【図８】図６の商品包装体の把手部を上方に反転させた商品包装体の斜視図である。
【図９】従来の手提げ付き袋の斜視図である。
【図１０】図９の手提げ付き袋に商品を収納した商品包装体の斜視図である。
【符号の説明】
【００１５】
１  中央分離帯
２a、２ｂ  テープ状接合面
３、３a、３ｂ  把手部
４、４a、４ｂ  折り目線
５a、５ｂ  指穴
６  切断用ミシン目
７  粘着剤層（接着剤層）
８  剥離紙
９  中央折り目線
１０  角底型袋体
ｍ  切片
ｎ  切片
ｐ  中央分離帯の外縁
ｑ  切片の折り目線
【図１】
2008143560.tif 000003
【図２】
2008143560.tif 000004
【図３】
2008143560.tif 000005
【図４】
2008143560.tif 000006
【図５】
2008143560.tif 000007
【図６】
2008143560.tif 000008
【図７】
2008143560.tif 000009
【図８】
2008143560.tif 000010
【図９】
2008143560.tif 000011
【図１０】
2008143560.tif 000012